(57)【特許請求の範囲】
【請求項１】
交換レンズを装着させるカメラマウントと、
前記交換レンズを通過した被写体光に応じた画像信号を生成する撮像素子と、
前記交換レンズとは異なる光学系を通過した被写体の光学像を観察可能な光学ファインダと、
前記画像信号に基づく撮影画像と前記光学像を重畳表示可能な電子ビューファインダと、
前記カメラマウントに装着された前記交換レンズと通信して前記交換レンズの情報を取得するレンズ情報取得手段と、
前記電子ビューファインダに表示された撮影画像の前記光学像に対する重畳位置を移動させる移動手段と、
前記移動手段により移動された撮影画像の位置に基づいて前記撮影画像の位置を決定する位置決定手段と、
前記レンズ情報取得手段が前記交換レンズと通信可能であるか否かを判断する通信判断手段と、
前記通信判断手段が、前記レンズ情報取得手段が前記交換レンズと通信可能でないと判断した場合には、前記電子ビューファインダに前記撮影画像と前記光学像を重畳表示させる代わりに、前記位置決定手段により決定された位置に前記光学像上において撮影範囲を識別可能な撮影範囲画像を前記電子ビューファインダに表示させる第１の表示制御手段と、
を備えた撮影装置。
【請求項２】
前記光学ファインダは、前記光学像の倍率を変更するファインダ倍率変更手段を備えた請求項１に記載の撮影装置。
【請求項３】
前記位置決定手段により決定された位置に前記光学像上において撮影範囲を識別可能な撮影範囲画像の位置を記憶する記憶手段と、
前記記憶手段に前記撮影範囲画像の位置が記憶されているか判断する判断手段と、
前記交換レンズの情報に基づいて前記撮影範囲画像の位置を算出する算出手段と、
を備え、
前記第１の表示制御手段は、前記判断手段により前記撮影範囲画像の位置が記憶されていると判断された場合には、前記撮影画像を前記電子ビューファインダに表示させる代わりに、前記撮影範囲画像を前記記憶手段に記憶された位置で前記電子ビューファインダに表示させ、
前記通信判断手段は、前記判断手段により前記撮影範囲画像の位置が記憶されていないと判断された場合には、前記レンズ情報取得手段が前記交換レンズと通信可能であるか否かを判断し、
前記レンズ情報取得手段は、前記通信判断手段により前記レンズ情報取得手段が前記交換レンズと通信可能であると判断した場合には、前記カメラマウントに装着された前記交換レンズの情報を取得し、
前記算出手段は、前記レンズ情報取得手段が取得した前記交換レンズの情報に基づいて前記撮影範囲画像の位置を算出し、
前記記憶手段は、前記算出手段の算出した前記撮影範囲画像の位置を記憶する請求項１または２に記載の撮影装置。
【請求項４】
前記電子ビューファインダに表示された撮影画像の位置及び大きさの変更の入力を受け付ける入力手段と、
前記入力手段により変更が入力された位置及び大きさに基づいて、被写体が撮影されている範囲を決定する撮影範囲決定手段と、
を備えた請求項１から３のいずれか１項に記載の撮影装置。
【請求項５】
前記第１の表示制御手段は、前記撮影画像のうちの前記撮影範囲決定手段により決定された範囲の画像を新たな撮影画像とする請求項４に記載の撮影装置。
【請求項６】
前記光学像を観察できないように前記光学像を遮光するファインダシャッターと、
前記第１の表示制御手段により前記電子ビューファインダに前記撮影画像が表示された場合には、前記ファインダシャッターにより前記光学像を遮光するシャッタ制御手段と、
を備えた請求項１から５のいずれかに記載の撮影装置。
【請求項７】
カメラマウントを介して装着された交換レンズを通過した被写体光を撮像素子に結像させるステップと、
前記カメラマウントに装着された前記交換レンズと通信して前記交換レンズの情報を取得するステップと、
電子ビューファインダに表示された撮影画像の光学像に対する重畳位置を移動させるステップと、
前記移動された撮影画像の位置に基づいて前記撮影画像の位置を決定するステップと、
前記交換レンズと通信可能であるか否かを判断するステップと、
前記交換レンズと通信可能でないと判断した場合には、前記電子ビューファインダに前記撮影画像と前記光学像を重畳表示させる代わりに、前記決定された位置に前記光学像上において撮影範囲を識別可能な撮影範囲画像を前記電子ビューファインダに表示させるステップと、
を備えた撮影方法。
【請求項８】
カメラマウントを介して装着された交換レンズを通過した被写体光を撮像素子に結像させるステップと、
前記カメラマウントに装着された前記交換レンズと通信して前記交換レンズの情報を取得するステップと、
電子ビューファインダに表示された撮影画像の光学像に対する重畳位置を移動させるステップと、
前記移動された撮影画像の位置に基づいて前記撮影画像の位置を決定するステップと、
前記交換レンズと通信可能であるか否かを判断するステップと、
前記交換レンズと通信可能でないと判断した場合には、前記電子ビューファインダに前記撮影画像と前記光学像を重畳表示させる代わりに、前記決定された位置に前記光学像上において撮影範囲を識別可能な撮影範囲画像を前記電子ビューファインダに表示させるステップと、
を演算装置に実行させるプログラム。
【発明の詳細な説明】
【技術分野】
【０００１】
本発明は撮影装置、撮影方法及びプログラムに係り、撮影光学系とは別にファインダ光学系を有する撮影装置、撮影方法及びプログラムに関する。
【背景技術】
【０００２】
特許文献１には、レンズが交換可能な電子カメラであって、ファインダ光学系を介して撮影された被写体像（視野確認画像）をファインダ内モニタに表示するとともに、視野確認画像上に撮影用の撮像素子で撮影される画角の範囲（撮影範囲）を示す枠をオンスクリーン機能で重畳表示する電子カメラが開示されている。
【先行技術文献】
【特許文献】
【０００３】
【特許文献１】特開２００８−９６５８４号公報
【発明の概要】
【発明が解決しようとする課題】
【０００４】
しかしながら、特許文献１に記載の発明は、交換レンズと通信ができない場合には、レンズの焦点距離等が取得できないため、撮影範囲を示す枠を表示することができないという問題がある。また、特許文献１に記載の発明は、視野確認画像を電子像で表示するが、撮影から表示までにタイムラグがある上、電子像より光学像の方がクリアであるため、光学ファインダを使用したい。【０００５】
本発明はこのような事情に鑑みてなされたもので、カメラ本体に取り付けられた交換レンズと通信できない場合においても、光学ファインダの光学像に撮影範囲を示す枠を表示することができる撮影装置、撮影方法及びプログラムを提供することを目的とする。
【課題を解決するための手段】
【０００６】
目的を達成するために、本発明の一の態様に係る撮影装置は、交換レンズを装着させるカメラマウントと、交換レンズを通過した被写体光に応じた画像信号を生成する撮像素子と、被写体の光学像を観察可能な光学ファインダと、画像を光学像に重畳表示可能な電子ビューファインダと、カメラマウントに装着された交換レンズの情報を取得するレンズ情報取得手段と、レンズ情報取得手段において交換レンズの情報を取得できなかった場合には、画像信号に基づく撮影画像を電子ビューファインダに表示させる第１の表示制御手段と、を備える。【０００７】
本発明の一の態様に係る撮影装置によれば、交換レンズの情報が取得できなかった場合には、撮像素子で生成された画像信号に基づく撮影画像を電子ビューファインダに表示させる。これにより、通信できない交換レンズが装着された場合においても、撮影画像を確認することができる。【０００８】
本発明の他の態様に係る撮影装置において、第１の表示制御手段により電子ビューファインダに表示された撮影画像の光学像に対する重畳位置を移動させる移動手段と、移動手段により移動された撮影画像の位置に基づいて撮影画像の位置を決定する位置決定手段と、位置決定手段により決定された位置に光学像上において撮影範囲を識別可能な撮影範囲画像を電子ビューファインダに表示させる表示制御手段と、を備えてもよい。これにより、通信できない交換レンズが装着された場合においても、撮影画像の範囲を光学ファインダの光学像上で確認することができる。【０００９】
本発明の他の態様に係る撮影装置において、光学ファインダは、光学像の倍率を変更するファインダ倍率変更手段を備えてもよい。これにより、撮影に適した視野で撮影画像の範囲を確認することができる。【００１０】
本発明の他の態様に係る撮影装置において、撮影範囲画像の位置を記憶する記憶手段を備えてもよい。これにより、再度同じ交換レンズを用いる場合には、記憶された内容を読み出すだけで、再度設定を行うことなく、撮影範囲を確認することができる。【００１１】
本発明の他の態様に係る撮影装置において、記憶手段に撮影範囲画像の位置が記憶されているか判断する判断手段を備え、第１の表示制御手段は、判断手段により撮影範囲画像の位置が記憶されていると判断された場合には、撮影画像を電子ビューファインダに表示させる代わりに、撮影範囲画像を記憶手段に記憶された位置で電子ビューファインダに表示させてもよい。これにより、通信できない交換レンズが装着された場合においても、撮影画像の範囲を光学ファインダの光学像上で確認することができる。【００１２】
本発明の他の態様に係る撮影装置において、電子ビューファインダに表示された撮影画像の位置及び大きさの変更の入力を受け付ける入力手段と、入力手段により変更が入力された位置及び大きさに基づいて、被写体が撮影されている範囲を決定する撮影範囲決定手段と、を備えてもよい。これにより、交換レンズと撮像素子のサイズが合わずケラレが発生しても、ケラレのない画像を撮影することができる。【００１３】
本発明の他の態様に係る撮影装置において、第１の表示制御手段は、撮影画像のうちの撮影範囲決定手段により決定された範囲の画像を新たな撮影画像としてもよい。【００１４】
本発明の他の態様に係る撮影装置において、交換レンズは、ズームレンズ及びフォーカスレンズを含み、レンズ情報取得手段は、カメラマウントに装着された交換レンズにおけるズームレンズ及びフォーカスレンズの位置情報を取得し、ズームレンズ及びフォーカスレンズの位置情報を取得した場合には、ズームレンズ及びフォーカスレンズの位置情報に基づいて撮影範囲画像の位置及び大きさを算出する算出手段を備えてもよい。これにより、通信可能な場合には自動的にフレーム枠を表示させることができる。【００１５】
本発明の他の態様に係る撮影装置において、光学像を観察できないように光学像を遮光するファインダシャッターと、第１の表示制御手段により電子ビューファインダに撮影画像が表示された場合には、ファインダシャッターにより光学像を遮光するシャッタ制御手段と、を備えてもよい。これにより、電子ビューファインダに表示された電子像のみを確認できるようになる。【００１６】
本発明の他の態様に係る撮影方法において、カメラマウントを介して装着された交換レンズを通過した被写体光を撮像素子に結像させるステップと、カメラマウントに装着された交換レンズの情報を取得するステップと、交換レンズの情報が取得できなかった場合には、光学ファインダの光学像に重畳表示される電子ビューファインダに撮像素子で生成された画像信号に基づく撮影画像を表示させるステップと、を備える。【００１７】
カメラマウントを介して装着された交換レンズを通過した被写体光を撮像素子に結像させるステップと、カメラマウントに装着された交換レンズの情報を取得するステップと、交換レンズの情報が取得できなかった場合には、光学ファインダの光学像に重畳表示される電子ビューファインダに撮像素子で生成された画像信号に基づく撮影画像を表示させるステップと、を演算装置に実行させる。
【発明の効果】
【００１８】
本発明によれば、カメラ本体に取り付けられた交換レンズと通信できない場合においても、光学ファインダの光学像に撮影範囲を示す枠を表示することができる。
【図面の簡単な説明】
【００１９】
【図１】デジタルカメラ１のブロック図
【図２】第１の実施の形態における交換レンズが取り付けられたときの撮影準備処理の流れを示すフローチャート
【図３】電子ビューファインダの表示のイメージを示す図
【図４】光学ファインダの表示のイメージを示す図
【図５】ハイブリッドファインダの表示のイメージを示す図
【図６】ハイブリッドファインダの表示のイメージを示す図
【図７】ハイブリッドファインダの表示のイメージを示す図
【図８】第２の実施の形態における交換レンズが取り付けられたときの撮影準備処理の流れを示すフローチャート
【図９】電子ビューファインダの表示のイメージを示す図
【図１０】ハイブリッドファインダの表示のイメージを示す図
【図１１】ハイブリッドファインダの表示のイメージを示す図
【図１２】ハイブリッドファインダの表示のイメージを示す図
【図１３】第３の実施の形態における交換レンズが取り付けられたときの撮影準備処理の流れを示すフローチャート
【図１４】ＥＶＦモードにおけるハイブリッドファインダの表示のイメージを示す図
【図１５】第４の実施の形態における交換レンズが取り付けられたときの撮影準備処理の流れを示すフローチャート
【図１６】ステップＳ４４の説明に用いる図
【図１７】ステップＳ４４の説明に用いる図
【図１８】ステップＳ４４の説明に用いる図
【図１９】ステップＳ４４の説明に用いる図
【図２０】第５の実施の形態における交換レンズが取り付けられたときの撮影準備処理の流れを示すフローチャート
【図２１】電子ビューファインダの表示のイメージを示す図
【図２２】電子ビューファインダの表示のイメージを示す図
【図２３】第６の実施の形態における交換レンズが取り付けられたときの撮影準備処理の流れを示すフローチャート
【発明を実施するための形態】
【００２０】
以下、添付図面に従って本発明に係る撮影装置を実施するための最良の形態について詳細に説明する。
【００２１】
＜第１の実施の形態＞
［撮像装置の構成の説明］
図１は、デジタルカメラ１の内部構成の一例を示すブロック図である。このデジタルカメラ１は、レンズを通った光を撮像素子で受け、デジタル信号に変換して記憶メディアに記録するデジタルカメラであり、装置全体の動作は中央処理装置（ＣＰＵ）４１によって統括制御される。
【００２２】
図１に示すように、デジタルカメラ１は、電源１１、撮像素子１３、ＡＦＥ（Ａｎａｌｏｇ Ｆｒｏｎｔ Ｅｎｄ）１４、ＤＳＰ （Ｄｉｇｉｔａｌ Ｓｉｇｎａｌ Ｐｒｏｃｅｓｓｏｒ）１５、記録メディア１６、操作部１７、ＬＣＤドライバ１８、システムバス１９、ＳＤＲＡＭ２０、フラッシュＲＯＭ２１、フラッシュ２７、ＬＣＤ２２、ハイブリッドファインダ（ＨＶＦ）５０の他、ＤＳＰ１５のシリアルＩ／Ｏ端子と接続され、交換レンズ１２、光学ファインダ５１、電子ビューファインダ５２を駆動するためのドライバ２５、２６、２４を備えて構成されている。なお、図１は、デジタルカメラ１に交換レンズ１２が装着された場合を図示しているが、デジタルカメラ１には様々な種類の交換レンズを装着可能である。
【００２３】
電源１１は、図示しないバッテリー及び電源制御部を含み、デジタルカメラ１の各ブロックに電源供給を行う。電源供給された各ブロックはＤＳＰ１５に備えられたＣＰＵ４１に制御されて動作し、ＣＰＵ４１は、操作部１７からの入力に基づき所定の制御プログラムを実行することにより、デジタルカメラ１の各部を制御する。
【００２４】
操作部１７は、レリーズスイッチ、モードダイヤル、再生ボタン、ＭＥＮＵ／ＯＫキー、十字キー、ＢＡＣＫキー等を含み、この操作部１７からの信号はＣＰＵ４１に入力され、ＣＰＵ４１は入力信号に基づいてデジタルカメラ１の各回路を制御し、例えば、レンズ駆動制御、絞り駆動制御、撮影動作制御、画像処理制御、画像データの記録／再生制御、立体表示用のＬＣＤ２２の表示制御などを行う。
【００２５】
レリーズスイッチは、撮影開始の指示を入力する操作ボタンであり、半押し時にＯＮするＳ１スイッチと、全押し時にＯＮするＳ２スイッチとを有する二段ストローク式のスイッチで構成されている。モードダイヤルは、２Ｄ撮影モード、３Ｄ撮影モード、オート撮影モード、マニュアル撮影モード、人物、風景、夜景等のシーンポジション、マクロモード、動画モード、本発明に係る視差優先撮影モードを選択する選択手段である。
【００２６】
再生ボタンは、撮影記録した立体視画像（３Ｄ画像）、平面画像（２Ｄ画像）の静止画又は動画をＬＣＤ２２に表示させる再生モードに切り替えるためのボタンである。ＭＥＮＵ／ＯＫキーは、ＬＣＤ２２の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生モード時の再生ズームスイッチとして機能し、左／右キーは再生モード時のコマ送り（順方向／逆方向送り）ボタンとして機能する。ＢＡＣＫキーは、選択項目など所望の対象の消去や指示内容の取消し、あるいは１つ前の操作状態に戻らせるときなどに使用される。
【００２７】
フラッシュＲＯＭ２１にはＣＰＵ４１が実行する制御プログラムの他、制御に必要な各種パラメータや撮像素子１３の画素欠陥データ等が記録されている。ＣＰＵ４１は、このプログラムＲＯＭに記録された制御プログラムをＳＤＲＡＭ２０に読み出し、逐次実行することにより、デジタルカメラ１の各部を制御する。なお、このＳＤＲＡＭ２０は、プログラムの実行処理領域として利用される他、画像データ等の一時記憶領域、各種作業領域として利用される。
【００２８】
交換レンズ１２は、図示しないカメラマウントを介してデジタルカメラ１のカメラ本体に機械的及び電気的に接続される。交換レンズ１２は、ズームレンズ３１、フォーカスレンズ３２、アイリス３３、及びシャッタ３４から構成され、それぞれＣＰＵ４１の命令に基づいてレンズドライバ２５により駆動される。交換レンズ１２と通信（電気的に接続）できない場合には、ユーザがズームレンズ３１、フォーカスレンズ３２、アイリス３３、及びシャッタ３４を回転リング（図示せず）等を介して手動で駆動する。
【００２９】
ズームレンズ３１及びフォーカスレンズ３２は、同じ光軸上を前後移動し、ズーム及びフォーカスを行う。
【００３０】
アイリス３３は、撮像素子１３へ入射する光量を制御し、シャッタスピードと共に露出の制御を行う。アイリス３３は、例えば、５枚の絞り羽根からなり、絞り値Ｆ1.4〜Ｆ11まで１ＡＶ刻みで６段階に絞り制御される。
【００３１】
シャッタ３４は、ズームレンズ３１、フォーカスレンズ３２、及びアイリス３３を介した被写体光を、所定の時間だけ撮像素子１３へ入射させるように動作する。
【００３２】
撮像素子１３は、シャッタ３４の後段に配置されており、交換レンズ１２を介した被写体光を受光する。撮像素子１３は、周知のように多数の受光素子がマトリクス状に配列された受光面を備えている。交換レンズ１２を介した被写体光は、この撮像素子１３の受光面上に結像され、各受光素子によって電気信号に変換される。なお、撮像素子としては、ＣＭＯＳ、ＣＣＤ等のイメージセンサが適用可能である。
【００３３】
ＡＦＥ１４は、ゲインアップ部３５、Ａ／Ｄ変換器３６、及びタイミングジェネレータ３７から構成され、撮像素子１３は、タイミングジェネレータ３７から供給される垂直転送クロック及び水平転送クロックに同期して、各画素に蓄積された電荷を１ラインずつシリアルな画像信号として出力する。ＣＰＵ４１は、タイミングジェネレータ３７を制御して、撮像素子１３の駆動を制御する。
【００３４】
なお、各画素の電荷蓄積時間（露出時間）は、タイミングジェネレータ３７から与えられる電子シャッタ駆動信号によって決められる。ＣＰＵ４１は、タイミングジェネレータ３７に対して電荷蓄積時間を指示する。
【００３５】
また、画像信号の出力は、デジタルカメラ１が撮影モードにセットされると開始される。すなわち、デジタルカメラ１が撮影モードにセットされると、ＬＣＤ２２にスルー画像を表示するため、画像信号の出力が開始される。このスルー画像用の画像信号の出力は、本撮影の指示が行われると、一旦停止され、本撮影が終了すると、再度開始される。
【００３６】
撮像素子１３から出力される画像信号は、アナログ信号であり、このアナログの画像信号は、ゲインアップ部３５に取り込まれる。
【００３７】
ゲインアップ部３５は、相関二重サンプリング回路（ＣＤＳ）、及び自動ゲインコントロール回路（ＡＧＣ）を含んで構成される。ＣＤＳは、画像信号に含まれるノイズの除去を行い、ＡＧＣは、ノイズ除去された画像信号を所定のゲインで増幅する。このゲインアップ部３５で所要の信号処理が施されたアナログの画像信号は、Ａ／Ｄ変換器３６に取り込まれる。
【００３８】
Ａ／Ｄ変換器３６は、取り込んだアナログの画像信号を所定ビットの階調幅を持ったデジタルの画像信号に変換する。この画像信号は、いわゆるＲＡＷデータであり、画素毎Ｒ、Ｇ、Ｂの濃度を示す階調値を有している。このデジタルの画像信号は、ＤＳＰ１５に取り込まれる。
【００３９】
ＤＳＰ１５は、前述したＣＰＵ４１の他、画像バッファ４２、ＹＣ処理部４３、ＡＥ・ＡＷＢ検出回路４４、ＡＦ検出回路４５、タイマ４６、圧縮伸長部４７、記録メディアインターフェース４８、ビデオエンコーダ４９等から構成されている。これらはシステムバス１９と接続されており、システムバス１９を介して互いに情報を送受信することが可能である。
【００４０】
画像バッファ４２は、Ａ／Ｄ変換器３６から取り込んだ１コマ分の画像信号を格納する。
【００４１】
ＡＦ検出回路４５は、ＣＰＵ４１の指令に従い、画像バッファ４２に格納されたＲ、Ｇ、Ｂの画像信号を取り込み、ＡＦ（Automatic Focus）制御に必要な焦点評価値を算出する。このＡＦ検出回路４５は、Ｇ信号の高周波成分のみを通過させるハイパスフィルタ、絶対値化処理部、画面に設定された所定のフォーカス領域（以下、ＡＦエリアという）内の信号を切り出すＡＦエリア抽出部、及び、ＡＦエリア内の絶対値データを積算する積算部を含み、この積算部で積算されたＡＦエリア内の絶対値データを焦点評価値としてＣＰＵ４１に出力する。焦点評価値に基づくフォーカスレンズ群の制御方式としては、焦点評価値が極大となる位置をサーチし、その位置にフォーカスレンズ３２を移動させる方式や、フォーカスレンズ群を焦点評価値が増加する方向に移動させて行き、焦点評価値が減少し始める点を検出するとその位置にフォーカスレンズ群を設定する山登り方式を用いることができる。
【００４２】
ＡＥ・ＡＷＢ検出回路４４は、画像バッファ４２に格納されたＲ、Ｇ、Ｂの画像信号を取り込み、画面全体のＧ信号を積算し、又は画面中央部と周辺部とで異なる重みづけをしたＧ信号を積算し、そのＡＥ制御に必要な積算値をＣＰＵ４１に出力する。ＣＰＵ４１は、積算値から輝度値を算出し、輝度値から露出値を求める。また露出値から所定のプログラム線図に従って、絞り値及びシャッタ速度を決定する。
【００４３】
また、ＡＥ・ＡＷＢ検出回路４４は、ＡＷＢ制御に必要な物理量として、１画面を複数のエリア（例えば、１６×１６）に分割し、分割したエリア毎にＲ、Ｇ、Ｂの画像信号の色別の平均積算値を算出する。ＣＰＵ４１は、得られたＲの積算値、Ｂの積算値、Ｇの積算値から分割エリア毎にＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、例えば各比の値がおよそ１（つまり、１画面においてＲＧＢの積算比率がＲ：Ｇ：Ｂ＝１：１：１）になるように、ホワイトバランス調整回路のＲ、Ｇ、Ｂ信号に対するゲイン値（ホワイトバランス補正値）を決定する。ＡＥ・ＡＷＢ検出回路４４は、画像バッファ４２に格納された１コマ分の画像信号に光源種に応じたデジタルゲインをかけることでホワイトバランス調整を行うとともに、ガンマ（階調特性）処理及びシャープネス処理を行ってＲ、Ｇ、Ｂ信号を生成する。
【００４４】
ＹＣ処理部４３は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。このＹ／Ｃ信号は、ＳＤＲＡＭ２０に格納される。
【００４５】
圧縮伸長部４７は、ＣＰＵ４１からの圧縮指令に従い、入力されたＹ／Ｃ信号に所定形式（たとえば、ＪＰＥＧ）の圧縮処理を施し、圧縮画像データを生成する。また、ＣＰＵ４１からの伸張指令に従い、入力された圧縮画像データに所定形式の伸張処理を施して、非圧縮の画像データを生成する。
【００４６】
ビデオエンコーダ４９は、ＣＰＵ４１からの指令に従い、ドライバ１８を介してＬＣＤ２２への表示を制御する。
【００４７】
ＬＣＤ２２は、動画（スルー画像）を表示して電子ビューファインダとして使用できるとともに、撮影した記録前の画像（プレビュー画像）やカメラに装填された記録メディアから読み出した再生画像等を表示することができる。また、ＬＣＤ２２は、カメラの動作モードやホワイトバランス、画像のピクセル数、感度等をマニュアル設定する際の各種のメニュー画面をモードダイヤルやメニューボタンの操作に応じて表示させ、操作ボタン１１２の操作に応じてマニュアル設定項目の設定が可能なグラフィカル・ユーザ・インターフェース（ＧＵＩ）用の画面を表示する。
【００４８】
記録メディアインターフェース４８は、ＣＰＵ４１からの指令に従い、記録メディア１６に対してデータの読み／書きを制御する。なお、記録メディア１６は、メモリカードのようにカメラ本体に対して着脱自在なものでもよいし、また、カメラ本体に内蔵されたものでもよい。着脱自在とする場合は、カメラ本体にカードスロットを設け、このカードスロットに装填して使用する。
【００４９】
タイマ４６は、セルフタイマモードにおけるタイマ時間の計測を行ったり、ファインダ表示処理（後に詳述）の繰り返し時間の計測を行ったりする。
【００５０】
ハイブリッドファインダ５０は、主として、光学ファインダ５１と、電子ビューファインダ５２と、プリズム５３と、ファインダーシャッター５４とで構成され、１つの接眼部を介して光学ファインダ５１の光学像と電子ビューファインダ５２の電子像とを視認可能である。
【００５１】
光学ファインダ５１は、交換レンズ１２の変倍に伴って倍率が段階的に変更可能な変倍ファインダであり、主として、対物レンズと、接眼レンズと、これらの間に設けられ、光学ファインダ５１の光路内に進退自在に配設された変倍レンズとで構成されたファインダ光学系を有する。変倍レンズは、ＣＰＵ４１の指示によりドライバ２３を介して駆動される。ＣＰＵ４１は、交換レンズ１２のズームレンズ３１の位置が取得できた場合には撮像素子１３で撮影される画像（撮影画像）の画角と光学ファインダ５１の画角とが略一致するように、ズームレンズ３１の倍率に応じて変倍レンズを移動させる。
【００５２】
電子ビューファインダ５２は、例えば液晶パネルであり、撮影された画像、枠などの表示手段として使用される。電子ビューファインダ５２の表示は、光学ファインダ５１の光路内に配設されたプリズム５３により光学ファインダ５１の接眼部に導かれる。
【００５３】
ファインダーシャッター５４は、例えば液晶シャッタであり、光学ファインダ５１の光路内であって、プリズム５３より対物レンズ側に配設される。ファインダーシャッター５４が閉まると、ハイブリッドファインダ５０には光学像が表示されず、電子ビューファインダ５２の電子像のみが視認可能となる。
【００５４】
［撮像装置の動作の説明］
次に、デジタルカメラ１の動作について説明する。この撮像処理はＣＰＵ４１によって制御される。この撮像処理をＣＰＵ４１に実行させるためのプログラムはデジタルカメラ１の内外に存在する非一時的な(non-transitory)コンピュータ読み取り可能な記録媒体（ＲＡＭ、ＲＯＭ、メモリカードなど）で構成されたプログラム格納部に記憶されている。
【００５５】
図２は、デジタルカメラ１に交換レンズが取り付けられたときの撮影準備段階の処理の流れを示すフローチャートである。この処理は、主としてＣＰＵ４１によって行われる。
【００５６】
交換レンズがデジタルカメラ１のカメラ本体に取り付けられる（ステップＳ１０）。交換レンズを通過した被写体光は、絞り１４を介して撮像素子１３の受光面に結像される。タイミングジェネレータ３７により、撮像素子１３の主画素及び副画素に蓄えられた信号電荷は、信号電荷に応じた電圧信号（画像信号）として所定のフレームレートで順次読み出され、画像データが順次生成される。生成された画像データは順次ＳＤＲＡＭ２０に入力される。ＣＰＵ４１は、画像データに基づいて、絞り１４の開口量（Ｆ値）を変更する。
【００５７】
ＣＰＵ４１は、交換レンズと通信可能であるか、すなわち交換レンズが電気的に接続されているかを判断する（ステップＳ１２）。
【００５８】
交換レンズが電気的に接続されている場合（ステップＳ１２でＹＥＳ）は、ＣＰＵ４１は、交換レンズのズームレンズ３１、フォーカスレンズ３２の位置情報、すなわち交換レンズの焦点距離や被写体距離を取得する（ステップＳ１４）。ＣＰＵ４１は、交換レンズの焦点距離や被写体距離、光学ファインダ５１の倍率、光学ファインダ５１と交換レンズの光軸との位置関係に基づいて、撮像素子１３で撮影される被写体像の範囲（撮影範囲）を示す枠であるフレーム枠の位置及び大きさを算出する（ステップＳ１６）。ＣＰＵ４１は、交換レンズのズームレンズ３１、フォーカスレンズ３２の位置が変更された場合には、交換レンズの焦点距離や被写体距離を取得してフレーム枠の位置及び大きさを算出しなおすようにするのが望ましい。
【００５９】
交換レンズが電気的に接続されていない場合（ステップＳ１２でＮＯ）は、ＣＰＵ４１がフレーム枠をどこに表示すればよいか解らないため、ユーザ操作による調整モードとなる（ステップＳ１８〜Ｓ２４）。すなわち、ＣＰＵ４１は、図３に示すように、撮像素子１３が撮影した画像（撮影画像）を電子ビューファインダ５２に表示させる（ステップＳ１８）。ＣＰＵ４１は、順次生成された画像データを電子ビューファインダ５２に連続的に表示させる。
【００６０】
ＣＣＤ４１は、ドライバ２６を介してファインダーシャッター５４を開け、図４に示すように、光学ファインダ５１に光学像を表示させる（ステップＳ２０）。その結果、図５に示すように、ハイブリッドファインダ５０には、光学像に電子像が重畳表示される。なお、図５においては、光学ファインダ５１の見た目と電子ビューファインダ５２の表示内容の輪郭線は繋がっていない。ＣＰＵ４１は、後で行う処理を行いやすくするため、電子ビューファインダ５２に表示された撮影画像に対してエッジ強調等の処理を行っても良い。
【００６１】
ユーザが、電子ビューファインダ５２に表示された画像が光学ファインダ５１の光学像に一致するように、操作部１７の十字キーを用いて上下左右の４方向の指示及び大きさの変更（拡大、縮小）の指示を入力する。指示が入力されると、ＣＰＵ４１はこれを検出し、十字キーの入力に従って電子ビューファインダ５２に表示した撮影画像の位置及び大きさを変更する（ステップＳ２２）。図６は、図５に示す状態から撮影画像の位置及び大きさが変更された図である。図６においては、光学ファインダ５１の見た目と電子ビューファインダ５２の表示内容の輪郭線が略違和感なく繋がっている。
【００６２】
ＣＰＵ４１は、ステップＳ２２で位置及び大きさが変更された撮影画像の範囲をフレーム枠の位置及び大きさとする（ステップＳ２４）。
【００６３】
ＣＰＵ４１は、ステップＳ１６で算出されたフレーム枠の位置及び大きさで、又はステップＳ２４で決定されたフレーム枠の位置及び大きさで、電子ビューファインダ５２にフレーム枠を表示させる（ステップＳ２６）。これにより、図７に示すように、光学ファインダ５１の光学像にフレーム枠が重ねて表示される。
【００６４】
これにより、撮影準備が終了される。図２に示す処理は、所定の間隔で定期的に行ってもよいし、ユーザがズームレンズ３１やフォーカスレンズ３２を動かした時にユーザが操作部１７を介して指示することにより行うようにしてもよい。ＣＰＵ４１は、フレーム枠を見ながら、操作部１７からの入力に応じて、ドライバ２５を介してズームレンズ３１を光軸に沿って移動させてズーミングを行う。
【００６５】
レリーズスイッチが半押しされると、Ｓ１ＯＮ信号がＣＰＵ４１に入力され、ＣＰＵ４１はＡＦ検出回路４５及びＡＥ・ＡＷＢ検出回路４４を介してＡＥ／ＡＦ／ＡＷＢ動作を実施する。
【００６６】
レリーズスイッチが全押しされると、ＣＰＵ４１にＳ２ＯＮ信号が入力され、ＣＰＵ４１は、撮影、記録処理を開始する。すなわち、測光結果に基づき決定されたシャッタ速度、絞り値で撮像素子１３を露光する。
【００６７】
撮像素子１３から出力された画像データは、ＡＦＥ１４を介してＹＣ処理部４３に取り込まれて画像信号（Ｙ／Ｃ信号）が生成され、圧縮伸長部４７で所定の圧縮フォーマット（たとえばＪＰＥＧ形式）に従って圧縮された後、ＳＤＲＡＭ２０に格納される。
【００６８】
ＳＤＲＡＭ２０に記憶された圧縮データからＪＰＥＧファイルが生成され、そのＪＰＥＧファイルは記録メディアインターフェース４８を介して記録メディア１６に記録される。これにより、画像が撮影、記録される。
【００６９】
以上のようにして記録メディア１６に記録された画像は、再生ボタンによりデジタルカメラ１のモードを再生モードに設定することにより、ＬＣＤ２２で再生表示させることができる。
【００７０】
再生モードに設定されると、ＣＰＵ４１は、記録メディアインターフェース４８にコマンドを出力し、記録メディア１６に最後に記録された画像ファイルを読み出させる。
【００７１】
読み出された画像ファイルの圧縮画像データは、圧縮伸長部４７に加えられ、非圧縮の輝度／色差信号に伸張されたのち、ビデオエンコーダ４９を介してＬＣＤ２２に出力される。
【００７２】
画像のコマ送りは、十字キーの左右のキー操作によって行われ、十字キーの右キーが押されると、次の画像ファイルが記録メディア１６から読み出され、ＬＣＤ２２に再生表示される。また、十字キーの左キーが押されると、一つ前の画像ファイルが記録メディア１６から読み出され、ＬＣＤ２２に再生表示される。
【００７３】
本実施の形態によれば、通信ができない交換レンズが装着された場合においても、簡単な調整を行うだけで、交換レンズにあったフレーム枠を光学ファインダに重ねて表示することができる。
【００７４】
なお、本実施の形態では、撮影レンズ又は撮像素子に手ブレ補正機能を備えていないが、手ブレ補正機能を備えている場合には手ブレ補正機能はＯＦＦすることが望ましい。
【００７５】
また、本実施の形態では、撮影範囲を示す画像としてフレーム枠を表示したが、撮影範囲が識別可能な画像であればフレーム枠に限定されるものではない。例えば、撮影範囲の領域の拡張点を示すマークを表示してもよいし、撮影範囲以外を半透過マスキングしたものを表示してもよい。
【００７６】
＜第２の実施の形態＞
本発明の第１の実施の形態では、光学ファインダや電子ビューファインダの倍率（以下、ファインダ倍率という）を変更しなかったが、ファインダ倍率を変更したほうが適切な場合がある。
【００７７】
本発明の第２の実施の形態は、必要に応じてファインダ倍率を変える形態である。以下、第２の実施の形態に係るデジタルカメラ１−１について説明する。なお、第１の実施の形態と同一の部分については説明を省略する。
【００７８】
図８は、デジタルカメラ１に交換レンズが取り付けられたときの撮影準備段階の処理の流れを示すフローチャートである。この処理は、主としてＣＰＵ４１によって行われる。
【００７９】
交換レンズがデジタルカメラ１のカメラ本体に取り付けられる（ステップＳ１０）。ＣＰＵ４１は、交換レンズと通信可能であるか、すなわち交換レンズが電気的に接続されているかを判断する（ステップＳ１２）。
【００８０】
交換レンズが電気的に接続されている場合（ステップＳ１２でＹＥＳ）は、ＣＰＵ４１は、交換レンズのズームレンズ３１、フォーカスレンズ３２の位置情報、すなわち交換レンズの焦点距離や被写体距離を取得する（ステップＳ１４）。ＣＰＵ４１は、交換レンズの焦点距離や被写体距離、光学ファインダ５１の倍率、光学ファインダ５１と交換レンズの光軸との位置関係に基づいて、撮像素子１３で撮影される被写体像の範囲（撮影範囲）を示す枠であるフレーム枠の位置及び大きさを算出する（ステップＳ１６）。
【００８１】
交換レンズが電気的に接続されていない場合（ステップＳ１２でＮＯ）は、ＣＰＵ４１がフレーム枠をどこに表示すればよいか解らないため、ユーザ操作による調整モードとなる。ＣＰＵ４１は、撮像素子１３が撮影した画像（撮影画像）を電子ビューファインダ５２に表示させる（ステップＳ１８）。ＣＣＤ４１は、ドライバ２６を介してファインダーシャッター５４を開け、光学ファインダ５１に光学像を表示させる（ステップＳ２０）。本実施の形態では、図４に示す光学像に図９に示す撮影画像を重畳表示させるため、ハイブリッドファインダ５０は図１０に示すような表示となる。
【００８２】
ＣＰＵ４１は、電子ビューファインダ５２に表示された撮影画像の光学ファインダ５１の光学像に占める割合が一定値以下であるか否かを判断する（ステップＳ３０）。電子ビューファインダ５２に表示された撮影画像の光学ファインダ５１の光学像に占める割合が一定値以下である場合（ステップＳ３０でＹＥＳ）には、ＣＰＵ４１は、光学ファインダ５１がズームできるか、すなわち光学ファインダ５１のファインダ倍率が高くできるか否かを判断する（ステップＳ３２）。  
【００８３】
光学ファインダ５１がズームできる場合（ステップＳ３２でＹＥＳ）には、ＣＰＵ４１は、図１１に示すように、光学ファインダ５１をズームして光学ファインダ５１のファインダ倍率を高くする（ステップＳ３４）。ステップＳ３４では、自動的に所定の倍率までファインダ倍率を高くしても良いし、ユーザの操作部１７から指示に基づいて光学像の大きさが撮影画像の大きさと一致するように光学ファインダ５１のファインダ倍率を変えてもよい。これにより、ハイブリッドファインダ５０が撮影に適した視野となる。
【００８４】
電子ビューファインダ５２に表示された撮影画像の光学ファインダ５１の光学像に占める割合が一定値以下でない場合（ステップＳ３０でＮＯ）には、ＣＰＵ４１は、電子ビューファインダ５２に表示された撮影画像の光学ファインダ５１の光学像に占める割合が一定値以上か否かを判断する（ステップＳ３６）。
【００８５】
電子ビューファインダ５２に表示された撮影画像の光学ファインダ５１の光学像に占める割合が一定値以上である場合（ステップＳ３６でＹＥＳ）には、ＣＰＵ４１は、光学ファインダ５１が広角側にできるか否かを判断する（ステップＳ３８）。
【００８６】
光学ファインダ５１が広角側にできる場合（ステップＳ３８でＹＥＳ）には、ＣＰＵ４１は、図１２に示すように、光学ファインダ５１を広角側、すなわち光学ファインダ５１のファインダ倍率を低くする（ステップＳ４０）。ステップＳ４０では、自動的に所定の倍率までファインダ倍率を低くしても良いし、ユーザの操作部１７から指示に基づいて光学像の大きさが撮影画像の大きさと一致するように光学ファインダ５１のファインダ倍率を変えてもよい。これにより、ハイブリッドファインダ５０が撮影に適した視野となる。
【００８７】
光学ファインダのファインダ倍率が変更された場合（ステップＳ３４、Ｓ４０）、ファインダ倍率が変えられなかった場合（ステップＳ３２、Ｓ３８でＮＯ）、及びＥＶＦの領域が一定値以下でも一定値以上でもない場合（ステップＳ３６でＮＯ）には、ユーザが、電子ビューファインダ５２に表示された画像が光学ファインダ５１の光学像に一致するように、操作部１７の十字キーを用いて上下左右の４方向の指示及び大きさの変更（拡大、縮小）の指示を入力する。指示が入力されると、ＣＰＵ４１はこれを検出し、十字キーの入力に従って電子ビューファインダ５２に表示した撮影画像の位置及び大きさを変更する（ステップＳ２２）。
【００８８】
ＣＰＵ４１は、ステップＳ２２で位置及び大きさが変更された撮影画像の範囲をフレーム枠の位置及び大きさとする（ステップＳ２４）。
【００８９】
ＣＰＵ４１は、ステップＳ１６で算出されたフレーム枠の位置及び大きさで、又はステップＳ２４で決定されたフレーム枠の位置及び大きさで、電子ビューファインダ５２にフレーム枠を表示させる（ステップＳ２６）。
【００９０】
本実施の形態によれば、光学ファインダのファインダ倍率が変倍可能であったときには、通信ができない交換レンズがカメラ本体に装着されたときでも、簡単な調整で交換レンズにあったフレーム枠を撮影領域に適した視野の光学像に重ねて表示することができる。
【００９１】
＜第３の実施の形態＞
本発明の第２の実施の形態では、光学ファインダのファインダ倍率を変える形態であるが、ファインダ倍率によっては見づらいことが考えられる。
【００９２】
本発明の第３の実施の形態は、ファインダ倍率によっては電子ビューファインダに切り替える形態である。以下、第３の実施の形態に係るデジタルカメラ１−２について説明する。なお、第１、２の実施の形態と同一の部分については説明を省略する。
【００９３】
図１３は、デジタルカメラ１に交換レンズが取り付けられたときの撮影準備段階の処理の流れを示すフローチャートである。この処理は、主としてＣＰＵ４１によって行われる。
【００９４】
交換レンズがデジタルカメラ１のカメラ本体に取り付けられる（ステップＳ１０）。ＣＰＵ４１は、交換レンズと通信可能であるか、すなわち交換レンズが電気的に接続されているかを判断する（ステップＳ１２）。
【００９５】
交換レンズが電気的に接続されている場合（ステップＳ１２でＹＥＳ）は、ＣＰＵ４１は、交換レンズのズームレンズ３１、フォーカスレンズ３２の位置情報、すなわち交換レンズの焦点距離や被写体距離を取得する（ステップＳ１４）。ＣＰＵ４１は、交換レンズの焦点距離や被写体距離、光学ファインダ５１の倍率、光学ファインダ５１と交換レンズの光軸との位置関係に基づいて、撮像素子１３で撮影される被写体像の範囲（撮影範囲）を示す枠であるフレーム枠の位置及び大きさを算出する（ステップＳ１６）。
【００９６】
交換レンズが電気的に接続されていない場合（ステップＳ１２でＮＯ）は、ＣＰＵ４１がフレーム枠をどこに表示すればよいか解らないため、ユーザ操作による調整モードとなる。ＣＰＵ４１は、撮像素子１３が撮影した画像（撮影画像）を電子ビューファインダ５２に表示させる（ステップＳ１８）。ＣＣＤ４１は、ドライバ２６を介してファインダーシャッター５４を開け、光学ファインダ５１に光学像を表示させる（ステップＳ２０）。
【００９７】
ＣＰＵ４１は、光学ファインダ５１により光学像が視認可能なＯＶＦモードであるか否か、すなわちファインダーシャッター５４が閉じていないか否かを判断する（ステップＳ４２）。ＯＶＦモードであるである場合（ステップＳ４２でＹＥＳ）は、ＣＰＵ４１は、電子ビューファインダ５２に表示された撮影画像の光学ファインダ５１の光学像に占める割合が一定値以下であるか否かを判断する（ステップＳ３０）。電子ビューファインダ５２に表示された撮影画像の光学ファインダ５１の光学像に占める割合が一定値以下である場合（ステップＳ３０でＹＥＳ）には、ＣＰＵ４１は、光学ファインダ５１がズームできるか、すなわち光学ファインダ５１のファインダ倍率が高くできるか否かを判断する（ステップＳ３２）。
【００９８】
光学ファインダ５１がズームできる場合（ステップＳ３２でＹＥＳ）には、ＣＰＵ４１は、光学ファインダ５１をズームして光学ファインダ５１のファインダ倍率を高くする（ステップＳ３４）。
【００９９】
光学ファインダ５１がズームできない場合（ステップＳ３２でＮＯ）には、ファインダーシャッター５４を閉じ、図１４に示すようにハイブリッドファインダ５０を電子ビューファインダ５２の画像のみが視認可能なＥＶＦモードに変更し（ステップＳ４４）、処理を終了する。
【０１００】
ＯＶＦモードでない場合（ステップＳ４２でＮＯ）、すなわちハイブリッドファインダ５０がＥＶＦモードである場合には、ＣＰＵ４１は、表示領域を広げようとしたか、すなわち撮影画像を拡大しようとしたかを判断する（ステップＳ４６）。撮影画像を拡大しようとしていない場合（ステップＳ４６でＮＯ）には、そのままＥＶＦモードにて処理を終了する。
【０１０１】
撮影画像を拡大しようとしている場合（ステップＳ４６でＹＥＳ）には、ファインダーシャッター５４を開いてハイブリッドファインダ５０をＯＶＦモードに変更し、さらに撮影画像を電子ビューファインダ５２に表示して光学像に重畳表示させる（ステップＳ４８）。
【０１０２】
ＥＶＦの領域が一定値以下でもない場合（ステップＳ３０でＮＯ）、光学ファインダのファインダ倍率が変更された場合（ステップＳ３４）、及びＯＶＦモードに変えた場合（ステップＳ４８）には、ユーザが、電子ビューファインダ５２に表示された画像が光学ファインダ５１の光学像に一致するように、操作部１７の十字キーを用いて上下左右の４方向の指示及び大きさの変更（拡大、縮小）の指示を入力する。指示が入力されると、ＣＰＵ４１はこれを検出し、十字キーの入力に従って電子ビューファインダ５２に表示した撮影画像の位置及び大きさを変更する（ステップＳ２２）。
【０１０３】
ＣＰＵ４１は、ステップＳ２２で位置及び大きさが変更された撮影画像の範囲をフレーム枠の位置及び大きさとする（ステップＳ２４）。
【０１０４】
ＣＰＵ４１は、ステップＳ１６で算出されたフレーム枠の位置及び大きさで、又はステップＳ２４で決定されたフレーム枠の位置及び大きさで、電子ビューファインダ５２にフレーム枠を表示させる（ステップＳ２６）。
【０１０５】
本実施の形態によれば、交換レンズの光学倍率が高かった場合には光学ファインダにフレーム枠を表示してもエリアが小さくなりすぎ、撮影領域が見づらくなることがあるという問題を、ＥＶＦモードに変更することで解消することができる。
【０１０６】
＜第４の実施の形態＞
本発明の第３の実施の形態では、光学ファインダがズームできない場合は電子ビューファインダに切り替える形態であるが、ファインダ倍率によっては電子ビューファインダに切り替える形態はこれに限られない。
【０１０７】
本発明の第４実施の形態は、光学ファインダが広角にできない場合に電子ビューファインダに切り替える形態である。以下、第４の実施の形態に係るデジタルカメラ１−３について説明する。なお、第１、２及び３の実施の形態と同一の部分については説明を省略する。
【０１０８】
図１５は、デジタルカメラ１に交換レンズが取り付けられたときの撮影準備段階の処理の流れを示すフローチャートである。この処理は、主としてＣＰＵ４１によって行われる。
【０１０９】
交換レンズがデジタルカメラ１のカメラ本体に取り付けられる（ステップＳ１０）。ＣＰＵ４１は、交換レンズと通信可能であるか、すなわち交換レンズが電気的に接続されているかを判断する（ステップＳ１２）。
【０１１０】
交換レンズが電気的に接続されている場合（ステップＳ１２でＹＥＳ）は、ＣＰＵ４１は、交換レンズのズームレンズ３１、フォーカスレンズ３２の位置情報、すなわち交換レンズの焦点距離や被写体距離を取得する（ステップＳ１４）。ＣＰＵ４１は、交換レンズの焦点距離や被写体距離、光学ファインダ５１の倍率、光学ファインダ５１と交換レンズの光軸との位置関係に基づいて、撮像素子１３で撮影される被写体像の範囲（撮影範囲）を示す枠であるフレーム枠の位置及び大きさを算出する（ステップＳ１６）。
【０１１１】
交換レンズが電気的に接続されていない場合（ステップＳ１２でＮＯ）は、ＣＰＵ４１がフレーム枠をどこに表示すればよいか解らないため、ユーザ操作による調整モードとなる。ＣＰＵ４１は、撮像素子１３が撮影した画像（撮影画像）を電子ビューファインダ５２に表示させる（ステップＳ１８）。ＣＣＤ４１は、ドライバ２６を介してファインダーシャッター５４を開け、光学ファインダ５１に光学像を表示させる（ステップＳ２０）。
【０１１２】
ＣＰＵ４１は、光学ファインダ５１により光学像が視認可能なＯＶＦモードであるか否か、すなわちファインダーシャッター５４が閉じていないか否かを判断する（ステップＳ４２）。ＯＶＦモードである場合（ステップＳ４２でＹＥＳ）は、ＣＰＵ４１は、電子ビューファインダ５２に表示された撮影画像が最大の大きさであるか否かを判断する（ステップＳ５０）。撮影画像が最大の大きさである場合（ステップＳ５０でＹＥＳ）には、ＣＰＵ４１は、光学ファインダ５１のファインダ倍率が広角にできるか否かを判断する（ステップＳ３８）。
【０１１３】
光学ファインダ５１のファインダ倍率が広角にできる場合（ステップＳ３８でＹＥＳ）には、ＣＰＵ４１は、光学ファインダ５１を広角側、すなわち光学ファインダ５１のファインダ倍率を低くする（ステップＳ４０）。
【０１１４】
光学ファインダ５１のファインダ倍率が広角にできない場合（ステップＳ３８でＮＯ）は、例えば、図１６に示すような光学像が図１７に示すような撮影画像よりも広角である場合である。このような場合には、ハイブリッドファインダ５０の表示は図１８のような表示となる。この場合には、図１９に示すように、撮影画像を最大限に広角にしたとしても、撮影画像を光学像と略同じ大きさまで大きくすることができない場合がある。したがって、ＣＰＵ４１は、ファインダーシャッター５４を閉じ、図１４に示すようにハイブリッドファインダ５０を電子ビューファインダ５２の画像のみが視認可能なＥＶＦモードに変更し（ステップＳ４４）、処理を終了する。
【０１１５】
ＯＶＦモードでない場合（ステップＳ４２でＮＯ）は、ＣＰＵ４１は、表示領域を狭めようとしたか、すなわち撮影画像を縮小しようとしたかを判断する（ステップＳ５２）。撮影画像を縮小しようとしていない場合（ステップＳ５２でＮＯ）には、そのままＥＶＦモードにて処理を終了する。
【０１１６】
撮影画像を縮小しようとした場合（ステップＳ５２でＹＥＳ）には、ＣＰＵ４１は、ファインダーシャッター５４を開いてハイブリッドファインダ５０をＯＶＦモードに変更し、さらに撮影画像を電子ビューファインダ５２に表示して光学像に重畳表示させる（ステップＳ４８）。
【０１１７】
ＥＶＦの領域が最大でない場合（ステップＳ５０でＮＯ）、光学ファインダのファインダ倍率が変更された場合（ステップＳ４０）、及びＯＶＦモードに変えた場合（ステップＳ４８）には、ユーザが、電子ビューファインダ５２に表示された画像が光学ファインダ５１の光学像に一致するように、操作部１７の十字キーを用いて上下左右の４方向の指示及び大きさの変更（拡大、縮小）の指示を入力する。指示が入力されると、ＣＰＵ４１はこれを検出し、十字キーの入力に従って電子ビューファインダ５２に表示した撮影画像の位置及び大きさを変更する（ステップＳ２２）。
【０１１８】
ＣＰＵ４１は、ステップＳ２２で位置及び大きさが変更された撮影画像の範囲をフレーム枠の位置及び大きさとする（ステップＳ２４）。
【０１１９】
ＣＰＵ４１は、ステップＳ１６で算出されたフレーム枠の位置及び大きさで、又はステップＳ２４で決定されたフレーム枠の位置及び大きさで、電子ビューファインダ５２にフレーム枠を表示させる（ステップＳ２６）。
【０１２０】
本実施の形態によれば、交換レンズの方が光学ファインダより広角であった場合、光学ファインダでは撮影領域が見きれないという問題を、ＥＶＦモードに変更することで解消することができる。
【０１２１】
＜第５の実施の形態＞
本発明の第１の実施の形態では、交換レンズにあったフレーム枠を光学ファインダに重ねて表示するが、交換レンズが撮像素子の大きさにあっていない場合もありうる。
【０１２２】
本発明の第５の実施の形態は、交換レンズが撮像素子の大きさにあっていない場合に撮像素子の使用範囲を限定して画角を調整する形態である。以下、第５の実施の形態に係るデジタルカメラ１−４について説明する。なお、第１〜４の実施の形態と同一の部分については説明を省略する。
【０１２３】
図２０は、デジタルカメラ１に交換レンズが取り付けられたときの撮影準備段階の処理の流れを示すフローチャートである。この処理は、主としてＣＰＵ４１によって行われる。
【０１２４】
交換レンズがデジタルカメラ１のカメラ本体に取り付けられる（ステップＳ１０）。ＣＰＵ４１は、撮像素子１３が撮影した画像（撮影画像）を確認し、図２１に示すようなケラレが発生しているか否かを判断する（ステップＳ５４）。図２１では、周囲の黒い部分がケラレている部分である。ＣＰＵ４１は、黒い領域の大きさや形状を検出することにより、ケラレがあるか否かを自動的に判断することができる。例えば、ＣＰＵ４１は、撮像素子１３の出力値（例えば、積算値）に基づいて暗い部分を検出し、撮影画像を同じアスペクトで電子ズーム（一部の領域を拡大）していく際に暗い部分がなくなるか否かでケラレの有無を判断することができる。また、ＣＰＵ４１は、撮影画像を電子ビューファインダ５２又はＬＣＤ２２に表示し、ユーザが操作部１７を介して入力した指示に基づいて判断しても良い。
【０１２５】
ケラレが発生している場合には、ＣＰＵ４１は、図２２に示すように、撮像素子１３の受光範囲内で撮像素子１３と同じアスペクト比の領域を抜き出すケラレ調整を行う（ステップＳ５６）。ＣＰＵ４１は、いわゆる電子ズームと同様の方法により自動的にケラレ調整を行うことができる。また、ＣＰＵ４１は、撮影画像を電子ビューファインダ５２又はＬＣＤ２２に表示し、ユーザが操作部１７を介して位置、大きさを入力し、入力された位置、大きさを被写体が撮影されている範囲とすることでケラレ調整を行ってもよい。
【０１２６】
ケラレ調整が必要ない場合（ステップＳ５４でＮＯ）及びケラレ調整が終了した場合（ステップＳ５６）には、ＣＰＵ４１は、フレーム枠の調整が必要か否かを判断する（ステップＳ５８）。このステップの処理は、ユーザが操作部１７を介して入力した指示に基づいて行ってもよい。また、ＣＰＵ４１は、まずステップＳ３０、Ｓ３２を行い、これらのステップでＹＥＳの場合には、ステップＳ３４の処理を行った上でステップＳ５８をＹＥＳとしてもよいし、まずステップＳ５０、Ｓ３８を行い、これらのステップでＹＥＳの場合には、ステップＳ４０の処理を行った上でステップＳ５８をＹＥＳとしてもよいを行ってもよい。
【０１２７】
フレーム枠の調整が必要な場合（ステップＳ５８でＹＥＳ）には、ＣＰＵ４１は、フレーム枠の調整処理であるステップＳ１０〜Ｓ２４の処理（図２参照）を行う。既に説明済みであるため、ステップＳ１０〜Ｓ２４の処理の詳細な説明は省略する。なお、ステップＳ１８では、撮像素子１３で取得された撮影画像のうち、ステップＳ５６において入力された被写体が撮影されている範囲の画像を新たな撮影画像として電子ビューファインダ５２に表示する。
【０１２８】
本実施の形態によれば、交換レンズが撮像素子の大きさに合っておらず、撮像素子上にケラレが発生したときにおいても、ケラレのない範囲を撮影領域として用いることで、撮影に適した画角で撮影を行うことができる。
【０１２９】
＜第６の実施の形態＞
本発明の第１の実施の形態では、交換レンズにあったフレーム枠を光学ファインダに重ねて表示するが、２度目以降も同じ処理を行うのは大変である。
【０１３０】
本発明の第６の実施の形態は、交換レンズ毎にケラレ量、フレーム枠の大きさ・位置・ファインダ倍率等の設定を保存しておき、次回使用時には設定を読み出すだけですぐに使えるようにする形態である。以下、第６の実施の形態に係るデジタルカメラ１−５について説明する。なお、第１〜５の実施の形態と同一の部分については説明を省略する。
【０１３１】
図２３は、デジタルカメラ１に交換レンズが取り付けられたときの撮影準備段階の処理の流れを示すフローチャートである。この処理は、主としてＣＰＵ４１によって行われる。
【０１３２】
交換レンズがデジタルカメラ１のカメラ本体に取り付けられる（ステップＳ１０）。ＣＰＵ４１は、この交換レンズに関する設定がフラッシュＲＯＭ２１から読み出せるか否かを判断する（ステップＳ６０）。交換レンズの名称又は番号をユーザが操作部１７を介して入力すると、ＣＰＵ４１はこれを受け取り、フラッシュＲＯＭ２１に交換レンズの名称又は番号に関する設定が記憶されているかを判断することによって行われる。なお、交換レンズに関する設定は、ケラレ量（図２０に示すケラレ調整処理の結果）、フレーム枠の大きさ及び位置、光学ファインダ５１のファインダ倍率を含み、交換レンズの名称又は番号と関連付けて記憶されている。
【０１３３】
設定が読み出せる（ステップＳ６０でＹＥＳ）場合には、ＣＰＵ４１は、交換レンズに関する設定をフラッシュＲＯＭ２１から読み出し（ステップＳ６２）、読み出された設定に基づいてフレーム枠を表示する（ステップＳ６４）。
【０１３４】
設定が読み出せない（ステップＳ６０でＮＯ）場合は、交換レンズに関する設定がフラッシュＲＯＭ２１に記憶されていない場合であり、図２０に示すケラレ調整処理（ステップＳ５４〜Ｓ５８）、及びフレーム枠調整処理（ステップＳ１２〜Ｓ２６）を行う。これらの処理は既に説明しているため、説明を省略する。
【０１３５】
ケラレ調整処理（ステップＳ５４〜Ｓ５８）及びフレーム枠調整処理（ステップＳ１２〜Ｓ２６）が終了したら、ＣＰＵ４１は、調整された設定を、交換レンズの名称又は番号と関連付けてフラッシュＲＯＭ２１に記憶する（ステップＳ６６）。交換レンズの名称又は番号は、ＣＰＵ４１が所定の規則にのっとって自動的につけてもよいし、ユーザが入力しても良い。
【０１３６】
本実施の形態によれば、交換レンズを初めて装着した際に交換レンズに関する設定を名前をつけて保存しておくことで、次回同じ交換レンズを装着した際、設定を読み出すだけで、すぐに使える状態にすることができる。
【０１３７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１３８】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【０１３９】
１、１−１、１−２、１−３、１−４…デジタルカメラ、１２…撮影光学系、１３…ＣＣＤ、１４…ＡＦＥ、１５…ＤＳＰ、３１…ズームレンズ、３２…フォーカスレンズ、３３…アイリス３３、３４…シャッタ、４１…ＣＰＵ、４４…ＡＥ・ＡＷＢ検出回路、４５…ＡＦ検出回路、５０…ハイブリッドファインダ、５１…光学ファインダ、５２…電子ビューファインダ
【図１】
0005607260.tif 000002
【図２】
0005607260.tif 000003
【図３】
0005607260.tif 000004
【図４】
0005607260.tif 000005
【図５】
0005607260.tif 000006
【図６】
0005607260.tif 000007
【図７】
0005607260.tif 000008
【図８】
0005607260.tif 000009
【図９】
0005607260.tif 000010
【図１０】
0005607260.tif 000011
【図１１】
0005607260.tif 000012
【図１２】
0005607260.tif 000013
【図１３】
0005607260.tif 000014
【図１４】
0005607260.tif 000015
【図１５】
0005607260.tif 000016
【図１６】
0005607260.tif 000017
【図１７】
0005607260.tif 000018
【図１９】
0005607260.tif 000019
【図２０】
0005607260.tif 000020
【図２１】
0005607260.tif 000021
【図２２】
0005607260.tif 000022
【図２３】
0005607260.tif 000023
【図１８】
0005607260.tif 000024